(57)【特許請求の範囲】
【請求項１】
引き出しと、前記引き出しを第１方向に出し入れ可能な状態で収容するキャッシュドロワ本体とを備え、
前記引き出しは、紙幣を収容する紙幣収容部を有し、
前記キャッシュドロワ本体は、前記引き出しを収容する引き出し収容部と、前記引き出し収容部の一端に形成され外部に開口する正面開口部と、前記引き出し収容部の天面を画定する天面部を含む天面部材と、前記正面開口部の縁部を画定する正面枠部を含む正面部材とを有し、
前記正面枠部は、前記正面開口部の天面側の縁部に対応する位置に、前記第１方向に貫通する天面側切り欠き部を有し、
前記天面部材は、前記天面部の正面側の端部が、前記正面枠部の前記天面側切り欠き部内に入り込み前記キャッシュドロワ本体の正面側にまで達し、
前記引き出し収容部の前記天面に直交する方向から見た場合に、前記引き出し収容部の前記天面のうち前記引き出しを出し入れする際に前記紙幣収容部が通る領域において、前記引き出し収容部の前記天面に平行で前記第１方向に交差する方向に延びる継ぎ目を前記正面部材と前記天面部材との間に形成することなく、前記正面部材と前記天面部材とが連結されていることを特徴とするキャッシュドロワ。
【請求項２】
前記天面部材は、前記天面部の正面側の端部に連続して形成され、前記正面部材の前記正面枠部と共に前記正面開口部の縁部を画定する枠部を有していることを特徴とする請求項１に記載のキャッシュドロワ。
【請求項３】
前記天面部材の前記天面部は、前記引き出し収容部の前記天面に平行で前記第１方向に直交する方向において、前記引き出しの前記紙幣収容部を覆う幅寸法を有していることを特徴とする請求項１または２に記載のキャッシュドロワ。
【請求項４】
前記天面部材および前記正面部材は、所定形状に形成された板材を所定箇所で折り曲げ加工を施した形状を有していることを特徴とする請求項１乃至請求項３のいずれか１項に記載のキャッシュドロワ。
【請求項５】
前記引き出しは、前記紙幣収容部内に収容された紙幣を押さえるための紙幣押さえを有していることを特徴とする請求項１乃至請求項４のいずれか１項に記載のキャッシュドロワ。
【発明の詳細な説明】
【技術分野】
【０００１】
本発明は、紙幣収容部を有した引き出しと前記引き出しを出し入れ可能な状態で収容するキャッシュドロワ本体とを備えたキャッシュドロワに関し、特に、複数パーツから構成されたキャッシュドロワ本体を備えたキャッシュドロワに関する。
【背景技術】
【０００２】
従来、紙幣収容部を有した引き出しと、この引き出しを出し入れ可能な状態で収容するキャッシュドロワ本体とを備えるキャッシュドロワが知られている（例えば特許文献１参照。）。
【０００３】
ここで、一般に、キャッシュドロワ本体には、コストが低廉であることや製造が容易であることが要求されることから、複数パーツを組み合わせることでキャッシュドロワ本体が構成される場合が多い。
【先行技術文献】
【特許文献】
【０００４】
【特許文献１】特開昭和６３−２６８０９１号公報
【発明の概要】
【発明が解決しようとする課題】
【０００５】
以下に、図１１乃至図１４に示す参考例のキャッシュドロワ１１０を用いて、キャッシュドロワ本体１２０を複数パーツで構成した場合に生じる問題点を説明する。
【０００６】
まず、参考例のキャッシュドロワ１１０は、図１３や図１４に示すように、紙幣収容部１８１を有した引き出し１７０と、引き出し１７０を第１方向Ｘに出し入れ可能な状態で収容するキャッシュドロワ本体１２０とから構成されている。
【０００７】
キャッシュドロワ本体１２０は、図１１や図１２に示すように、キャッシュドロワ本体１２０の引き出し収容部１２１の天面を画定する天面部１４１を含む天面部材１４０と、キャッシュドロワ本体１２０の正面開口部１２２の縁部を画定する正面枠部１５１を含む正面部材１５０とを有している。正面枠部１５１は、図１１や図１２に示すように、矩形状の正面開口部１２２の４辺を画定する、底面側枠部１５１ａと２つの側面側枠部１５１ｂと天面側枠部１５１ｃとを有している。
【０００８】
一方、引き出し１７０は、図１３に示すように、紙幣収容部１８１を含むマネーケース１８０と、紙幣収容部１８１に収容された紙幣Ｂを押さえる紙幣押さえ１８３と、マネーケース１８０に形成され紙幣Ｂをガイドする紙幣ガイド部１８４とを有している。
【０００９】
ここで、参考例のキャッシュドロワ１１０では、図１１や図１２に示すように、正面枠部１５１の天面側枠部１５１ｃが、天面部材１４０の天面部１４１の正面側に配置されることから、引き出し収容部１２１の天面において、天面側枠部１５１ｃと天面部１４１との間に、第１方向Ｘに交差する第２方向Ｙに沿って延びる継ぎ目Ｃが形成される。
【００１０】
そして、上記のように構成された参考例のキャッシュドロワ１１０では、引き出し収容部１２１の天面に第２方向Ｙに沿って延びる継ぎ目Ｃが形成されているため、キャッシュドロワ本体１２０に対して引き出し１７０を出し入れする際に、紙幣収容部１８１内に収容された紙幣Ｂが継ぎ目Ｃに引っ掛かり、紙幣Ｂが継ぎ目Ｃに引っ掛かることに起因して、紙幣Ｂが引き出し１７０の後方側に入り込み、結果、紙幣Ｂを紛失するという現象が生じる。
【００１１】
以下に、図１３および図１４を用いて、継ぎ目Ｃに起因した紙幣Ｂの紛失プロセスを詳細に説明する。
【００１２】
まず、キャッシュドロワ１１０の運用中には、図１３の状態１に示すように、紙幣Ｂの先端が紙幣ガイド部１８４の上端より上方に突出した状態で、紙幣押さえ１８３によって紙幣Ｂを押さえてしまうことがある。
【００１３】
次に、紙幣Ｂが紙幣ガイド部１８４の上端より上方に突出した状態で、図１３の状態２に示すように、引き出し１７０をキャッシュドロワ本体１２０内に戻し、図１３の状態３に示すように、引き出し１７０を引き出すと、引き出し１７０を引き出す途中で、紙幣Ｂの先端が、引き出し収容部１２１の天面に形成された継ぎ目Ｃに引っ掛かる。
【００１４】
次に、紙幣Ｂが継ぎ目Ｃに引っ掛かった状態で、図１４の状態４に示すように、引き出し１７０を外側まで引き出し、図１４の状態５に示すように、引き出し１７０をキャッシュドロワ本体１２０内に戻すと、紙幣Ｂが継ぎ目Ｃに引っ掛かった状態が依然として維持されているため、引き出し１７０を戻す途中で、紙幣Ｂが紙幣押さえ１８３から抜け出すことになる。
【００１５】
次に、紙幣Ｂが継ぎ目Ｃに引っ掛かるとともに紙幣押さえ１８３から抜け出した状態で、図１４の状態６に示すように、引き出し１７０を外側に引き出すと、紙幣Ｂが引き出し１７０の後方側に入り込んでしまう。
【００１６】
そこで、本発明は、従来の問題を解決するものであって、すなわち、本発明の目的は、キャッシュドロワの運用中における紙幣の紛失を防止するキャッシュドロワを提供することである。
【課題を解決するための手段】
【００１７】
本発明のキャッシュドロワは、引き出しと、前記引き出しを第１方向に出し入れ可能な状態で収容するキャッシュドロワ本体とを備え、前記引き出しは、紙幣を収容する紙幣収容部を有し、前記キャッシュドロワ本体は、前記引き出しを収容する引き出し収容部と、前記引き出し収容部の一端に形成され外部に開口する正面開口部と、前記引き出し収容部の天面を画定する天面部を含む天面部材と、前記正面開口部の縁部を画定する正面枠部を含む正面部材とを有し、前記引き出し収容部の前記天面に直交する方向から見た場合に、前記引き出し収容部の前記天面のうち前記引き出しを出し入れする際に前記紙幣収容部が通る領域において、前記引き出し収容部の前記天面に平行で前記第１方向に交差する方向に延びる継ぎ目を前記正面部材と前記天面部材との間に形成することなく、前記正面部材と前記天面部材とが連結されていることにより、前述した課題を解決したものである。
【発明の効果】
【００１８】
本発明のキャッシュドロワによれば、キャッシュドロワの運用時に、紙幣収容部に収容された紙幣が引き出し収容部の天面の継ぎ目に引っ掛かることを回避できるため、紙幣が引き出し収容部の天面の継ぎ目に引っ掛かることに起因した紙幣の紛失を防止できる。
【図面の簡単な説明】
【００１９】
【図１】本発明の一実施形態であるキャッシュドロワを示す説明図である。
【図２】キャッシュドロワ本体を示す斜視図である。
【図３】図２とは異なる角度から見てキャッシュドロワ本体を示す斜視図である。
【図４】本体カバーを示す斜視図である。
【図５】天面部材を示す斜視図である。
【図６】正面部材を示す斜視図である。
【図７】キャッシュドロワ本体の組み付け工程の第１工程を示す説明図である。
【図８】キャッシュドロワ本体の組み付け工程の第２工程を示す説明図である。
【図９】キャッシュドロワ本体の組み付け工程の第３工程を示す説明図である。
【図１０】引き出しを出し入れする際の紙幣の様子を示す説明図である。
【図１１】参考例におけるキャッシュドロワ本体を示す斜視図である。
【図１２】参考例におけるキャッシュドロワ本体を断面視して示す説明図である。
【図１３】参考例であるキャッシュドロワにおいて、引き出しを出し入れする際の紙幣の様子を示す説明図であって、状態１〜状態３を示す説明図である。
【図１４】参考例であるキャッシュドロワにおいて、引き出しを出し入れする際の紙幣の様子を示す説明図であって、状態４〜状態６を示す説明図である。
【発明を実施するための形態】
【００２０】
以下、本発明のキャッシュドロワの一実施形態を図面に基づいて説明する。
【００２１】
なお、以下の説明では、引き出し収容部の天板に平行で、キャッシュドロワ本体に対して引き出しを出し入れする方向を第１方向Ｘ、引き出し収容部の天板に平行で、第１方向Ｘに直交する方向を第２方向Ｙ、第１方向Ｘおよび第２方向Ｙに直交する方向を第３方向Ｚとして規定する。
【実施例】
【００２２】
キャッシュドロワ１０は、紙幣Ｂやコイン（図示しない）を収容するものであり、本実施形態では、ＰＯＳ装置（図示しない）に組み込まれて使用されるものである。
【００２３】
キャッシュドロワ１０は、図１に示すように、引き出し７０と、引き出し７０を第１方向Ｘに出し入れ可能な状態で収容するキャッシュドロワ本体２０とを備えている。
【００２４】
キャッシュドロワ本体２０は、図２や図３に示すように、引き出し７０を収容する引き出し収容部２１と、引き出し収容部２１の一端に形成され外部に開口する正面開口部２２とを有している。
【００２５】
キャッシュドロワ本体２０は、図２や図３に示すように、引き出し収容部２１および正面開口部２２を協働して形成する、本体カバー３０と天面部材４０と正面部材５０とボトムシャーシ６０とから構成されている。
【００２６】
本体カバー３０は、図４に示すように、所定形状に形成された板金を所定箇所で折り曲げ加工を施した形状を有している。
【００２７】
本体カバー３０は、図４に示すように、キャッシュドロワ本体２０の天面側を覆う天面側カバー部３１と、キャッシュドロワ本体２０の側面側を覆う一対の側面側カバー部３２と、側面側カバー部３２の下端に形成された組み付け用板部３３とを一体に有している。
【００２８】
天面部材４０は、図５に示すように、所定形状に形成された板金を所定箇所で折り曲げ加工を施した形状を有している。
【００２９】
天面部材４０は、図５に示すスポット溶接部Ｓでスポット溶接されることにより、本体カバー３０に接合される。
【００３０】
天面部材４０は、図５に示すように、引き出し収容部２１の天面を画定する天面部４１と、天面部４１の正面側の端部に連続して形成され正面部材５０の正面枠部５１と共に正面開口部２２の縁部を画定する枠部４２と、枠部４２の上端から後方側に向けて突出する複数の組み付け用突出部４３と、天面部４１の正面側の縁部以外の縁部に形成された３つの組み付け用板部４４とを有している。
【００３１】
天面部４１の正面側の端部は、図３に示すように、天面部材４０と正面部材５０とを互いに組み付けた状態で、後述する正面枠部５１の天面側切り欠き部５１ｄ内に入り込み、キャッシュドロワ本体２０の正面側にまで達している。
【００３２】
天面部材４０の天面部４１は、第２方向Ｙにおいて、引き出し７０の紙幣収容部８１を覆う幅寸法を有している。
【００３３】
正面部材５０は、図６に示すように、所定形状に形成された板金を所定箇所で折り曲げ加工を施した形状を有している。
【００３４】
正面部材５０は、図６に示すスポット溶接部Ｓでスポット溶接されることにより、本体カバー３０に接合される。
【００３５】
正面部材５０は、図６に示すように、正面開口部２２の縁部を画定する正面枠部５１と、正面枠部５１から後方側に向けて突出する後方突出部５２と、後方突出部５２から正面側に向けて突出する複数の爪部５２ａと、正面枠部５１から後方側に向けて形成された組み付け用板部５３とを有している。
【００３６】
正面枠部５１は、図６に示すように、矩形状の正面開口部２２の底面側の縁部を画定する底面側枠部５１ａと、正面開口部２２の側面側の縁部を画定する２つの側面側枠部５１ｂと、正面開口部２２の天面側の縁部の一部を画定する２つの天面側枠部５１ｃと、２つの天面側枠部５１ｃの間に形成された天面側切り欠き部５１ｄとを有している。天面側切り欠き部５１ｄは、図６に示すように、正面開口部２２の天面側の縁部に対応する位置において、第１方向Ｘに貫通するように形成されている。
【００３７】
ボトムシャーシ６０は、図２や図３に示すように、引き出し７０を第１方向Ｘにガイドするガイドローラ６１と、キャッシュドロワ本体２０の底部に取り付けられる脚部６２とを有している。
【００３８】
ボトムシャーシ６０は、ネジによって本体カバー３０に固定される。
【００３９】
引き出し７０には、図１に示すように、紙幣Ｂやコイン（図示しない）を収容するためのマネーケース８０が取り付けられている。
【００４０】
マネーケース８０は、図１や図１０に示すように、紙幣Ｂを収容する紙幣収容部８１と、コイン（図示しない）を収容するコイン収容部８２と、紙幣収容部８１内に収容された紙幣Ｂを押さえるための紙幣押さえ８３と、紙幣Ｂをガイドするための紙幣ガイド部８４とを有している。
【００４１】
引き出し７０は、ＰＯＳ装置（図示しない）の制御部（図示しない）からのオープン信号でソレノイド（図示しない）が動き、それにロック機構（図示しない）が追従してロックが外れ、付勢手段（図示しない）によって引き出し収容部２１の外側に押し出されるように構成されている。また、オペレータが、引き出し７０を閉めると、ロック機構（図示しない）に追従してソレノイド（図示しない）が元の位置に戻り、ロックされるように構成されている。なお、引き出し７０の出し入れ機構については、本発明と関連性が薄いため、上記以上の詳細な説明は省略する。
【００４２】
つぎに、キャッシュドロワ本体２０の組み付け方法について、図７乃至図９に基づいて以下に説明する。なお、図７乃至図９においては、本体カバー３０の天面側カバー部３１の図示を省略している。
【００４３】
まず、図７に示すように、本体カバー３０に対して正面部材５０を後方側から正面側に向けてスライドさせることで、本体カバー３０内の正面側における所定位置に正面部材５０を設置する。
【００４４】
次に、図６に示すスポット溶接部Ｓで、本体カバー３０と正面部材５０とをスポット溶接することにより、本体カバー３０と正面部材５０とを接合する。なお、本体カバー３０と正面部材５０とのスポット溶接は、本体カバー３０に対して天面部材４０を取り付けた後などの、他のタイミングで行なってもよい。
【００４５】
次に、図８に示すように、本体カバー３０内の所定位置に天面部材４０を配置した後、図９に示すように、天面部材４０を側方に向けてスライドさせることで、正面部材５０の爪部５２ａに天面部材４０の組み付け用突出部４３を引っ掛け、天面部材４０の仮固定が完了する。
【００４６】
次に、図５に示すスポット溶接部Ｓで、本体カバー３０と天面部材４０とをスポット溶接することにより、本体カバー３０と天面部材４０とを接合する。なお、本体カバー３０と天面部材４０とのスポット溶接は、例えば、本体カバー３０に対してボトムシャーシ６０を取り付けた後などの他のタイミングで行なってもよい。
【００４７】
次に、本体カバー３０に対してボトムシャーシ６０をネジで固定することにより、キャッシュドロワ本体２０の組み付けが完了する。
【００４８】
つぎに、本実施形態のキャッシュドロワ本体２０における、引き出し７０を出し入れする際の紙幣Ｂの様子を、図１０に基づいて以下に説明する。なお、図１０においては、本体カバー３０および正面部材５０の図示を省略している。
【００４９】
まず、キャッシュドロワ１０の運用中には、図１０の状態１に示すように、紙幣Ｂの先端が紙幣ガイド部８４の上端より上方に突出した状態で、紙幣押さえ８３によって紙幣Ｂを押さえてしまうことがある。
【００５０】
次に、紙幣Ｂが紙幣ガイド部１８４の上端より上方に突出した状態で、図１０の状態２に示すように、引き出し１７０をキャッシュドロワ本体１２０内に戻し、図１０の状態３に示すように、引き出し１７０を引き出す。
【００５１】
ここで、本実施形態のキャッシュドロワ１０では、引き出し収容部１２１の天面には、引き出し収容部１２１の天板に平行で第１方向Ｘに交差する方向に延びる継ぎ目が形成されていないため、参考例であるキャッシュドロワ１１０のように、引き出し収容部１２１の天板に平行で第１方向Ｘに交差する方向に延びる継ぎ目Ｃが引き出し収容部１２１の天面に形成されている場合とは異なり、紙幣Ｂが継ぎ目Ｃに引っ掛かることに起因した紙幣Ｂの紛失は生じない。
【００５２】
このようにして得られた本実施形態のキャッシュドロワ１０では、正面枠部５１に天面側切り欠き部５１ｄが形成され、天面部４１の正面側の端部が、正面枠部５１の天面側切り欠き部５１ｄ内に入り込みキャッシュドロワ本体２０の正面側にまで達していることにより、引き出し収容部２１の天面に直交する第３方向Ｚから見た場合に、引き出し収容部２１の天面のうち引き出し７０を出し入れする際に紙幣収容部８１が通る領域において、引き出し収容部２１の天面に平行で第１方向Ｘに交差する方向に継ぎ目を形成することなく、正面部材５０と天面部材４０とを連結することができる。これにより、キャッシュドロワ１０の運用時に、紙幣収容部８１に収容された紙幣Ｂが引き出し収容部２１の天面の継ぎ目に引っ掛かることを回避できるため、紙幣Ｂが引き出し収容部２１の天面の継ぎ目に引っ掛かることに起因した紙幣Ｂの紛失を防止できる。
【符号の説明】
【００５３】
１０    ・・・  キャッシュドロワ
２０    ・・・  キャッシュドロワ本体
２１    ・・・  引き出し収容部
２２    ・・・  正面開口部
３０    ・・・  本体カバー
３１    ・・・  天面側カバー部
３２    ・・・  側面側カバー部
３３    ・・・  組み付け用板部
４０    ・・・  天面部材
４１    ・・・  天面部
４２    ・・・  枠部
４３    ・・・  組み付け用突出部
４４    ・・・  組み付け用板部
５０    ・・・  正面部材
５１    ・・・  正面枠部
５１ａ  ・・・  底面側枠部
５１ｂ  ・・・  側面側枠部
５１ｃ  ・・・  天面側枠部
５１ｄ  ・・・  天面側切り欠き部
５２    ・・・  後方突出部
５２ａ  ・・・  爪部
５３    ・・・  組み付け用板部
６０    ・・・  ボトムシャーシ
６１    ・・・  ガイドローラ
６２    ・・・  脚部
７０    ・・・  引き出し
８０    ・・・  マネーケース
８１    ・・・  紙幣収容部
８２    ・・・  コイン収容部
８３    ・・・  紙幣押さえ
８４    ・・・  紙幣ガイド部
Ｂ  ・・・  紙幣
Ｃ  ・・・  継ぎ目
Ｓ  ・・・  スポット溶接部
Ｘ  ・・・  第１方向
Ｙ  ・・・  第２方向
Ｚ  ・・・  第３方向
【図１】
0005527829.tif 000002
【図２】
0005527829.tif 000003
【図３】
0005527829.tif 000004
【図４】
0005527829.tif 000005
【図５】
0005527829.tif 000006
【図６】
0005527829.tif 000007
【図７】
0005527829.tif 000008
【図８】
0005527829.tif 000009
【図９】
0005527829.tif 000010
【図１０】
0005527829.tif 000011
【図１１】
0005527829.tif 000012
【図１２】
0005527829.tif 000013
【図１３】
0005527829.tif 000014
【図１４】
0005527829.tif 000015